(57)【要約】【課題】  これまで以上に収納や運搬時における利便性を高めることができる座椅子を提供する。【解決手段】  座部２と背凭れ３を角度調節自在に連結した座椅子１において、背凭れ３の中央下方に、背凭上部８が内側方向に折曲される背凭連結金具９と、座部２の先方に、座部先部１０が上方向に折曲される座部連結金具１１と、を備える。背凭連結金具９が、背凭上部８を自由角度に折曲させる。背凭連結金具９にカバー体１２を装着してもよい。また、背凭上部８を内側方向に折曲し、座部先方を上方向に折曲させることにより、全体形状が矩形状に形成される。【選択図】  図１
0003115347.tif 000002
【実用新案登録請求の範囲】
【請求項１】
座部と背凭れを角度調節自在に連結した座椅子において、前記背凭れの中央下方に、背凭上部が内側方向に折曲される背凭連結金具と、前記座部の先方に、座部先部が上方向に折曲される座部連結金具と、を備えることを特徴とする座椅子。
【請求項２】
前記背凭連結金具が、背凭上部を自由角度に折曲させることができる請求項１記載の座椅子。
【請求項３】
前記背凭連結金具にカバー体を装着した請求項１または２記載の座椅子。
【請求項４】
前記背凭上部を内側方向に折曲し、座部先方を上方向に折曲させることにより、全体形状が矩形状に形成される請求項１乃至３のいずれかに記載の座椅子。
【考案の詳細な説明】
【技術分野】
【０００１】
本考案は、コンパクトに折畳むことを可能にすることにより、収納面や運搬時に高い利便性を有する座椅子に関する。
【背景技術】
【０００２】
従来より種々のタイプの座椅子が提案されており、そのような中で、使用方法が単に座椅子に限定されるという欠点が解消され、より自由に多様な使用方法で利用でき、しかも座椅子としても安楽なものが提案されている（例えば、特許文献１参照）。上掲特許文献１記載の座椅子は、基部と、基部に回動自在に取り付けられた座部とを有し、基部および座部のそれぞれに倒起自在にもたれ部が取り付けられている。
【特許文献１】特開平０９−２１５５４８号公報（第１−２頁、図１、図２）
【考案の開示】
【考案が解決しようとする課題】
【０００３】
しかしながら、これまで、２つ折り以外で機能的にコンパクトに折畳み可能な座椅子は知られておらず、上記特許文献１記載の構造の座椅子でも、使用時の自由度が増してはいるものの、収納時や大量運搬する際に適した折畳み構造を有しているとはいえなかった。
【０００４】
そこで本考案の目的は、これまで以上に収納や運搬時における利便性を高めることができる座椅子を提供することにある。
【課題を解決するための手段】
【０００５】
上記課題を解決するために本考案の座椅子は、座部と背凭れを角度調節自在に連結した座椅子において、前記背凭れの中央下方に、背凭上部が内側方向に折曲される背凭連結金具と、前記座部の先方に、座部先部が上方向に折曲される座部連結金具と、を備えることを特徴とするものである。
【０００６】
本考案の座椅子においては、前記背凭連結金具は、背凭上部を自由角度に折曲させることができるものとすることが好適である。また、前記背凭連結金具にカバー体を装着することが好ましい。さらに、前記背凭上部を内側方向に折曲し、座部先部を上方向に折曲させることにより、全体形状が矩形状に形成されるようにする。
【考案の効果】
【０００７】
本考案によれば、前記背凭れの中央下方に背凭連結金具を備えることで、背凭上部を内側方向に折曲することができ、また、座部の先方に座部連結金具を備えることにより、座部先部を上方向に折曲することができる。これより、座椅子の全体形状を矩形状にコンパクトに折畳むことができる。また、前記背凭連結金具を、背凭上部を自由角度に折曲させることができるものとすることにより、背凭れの折畳みがスムーズになり利便性が高まる。さらに、前記背凭連結金具にカバー体を装着することにより、背凭れ折曲時に中材を傷付ける心配がないようにすることができる。
【考案を実施するための最良の形態】
【０００８】
以下、本考案における座椅子の実施の形態を図面に基づいて説明する。
本考案の座椅子１は、座部２と背凭れ３とを備え、座部２と背凭れ３との間には両者を角度調節自在に連結する連結金具４を有する。また、座部２に肘掛５が設置されている。
【０００９】
座部２と背凭れ３と肘掛５とは、図１および図２に示すような形状のパイプ芯材にて好適に骨格を形成することができる。また、座部２、背凭れ３および肘掛５の骨格の周囲には、図３および図４に示すように、発泡ウレタンからなる緩衝材６を配設し、さらに緩衝材６の周囲をカバー７で被覆することが好ましい。
【００１０】
本考案においては、背凭れ３の中央下方に、背凭上部８が内側方向（座部方向）に折曲される背凭連結金具９を、また、座部２の先方には、座部先部１０が上方向に折曲される座部連結金具１１を、夫々具備することが肝要である。
【００１１】
上述の構造とすることにより、図７の（a）に示すように、通常の使用状態を示す座椅子１において、（b）のように背凭れ上部８を内側方向に折曲させ、（c）に示すように、座部先部１０を上方向に折曲させることにより、座椅子１を矩形状にコンパクトに折畳むことができる。なお、前記背凭上部８と座部基部２aの長さを、また座部先部１０と背凭基部３aとを夫々略同一の長さに形成することで、座椅子１全体を箱型に折畳むことができる。
【００１２】
また、本考案の他の好適例として、図５に示すように、背凭連結金具９にはカバー体１２を装着してもよい。かかるカバー体１２は、背凭連結金具９を折曲した際、背凭上部８が折曲する反対側に装着されるもので、平板本体１３と、平板本体１３の側面に設置された保持部１４とで構成される。カバー体１２を装着することにより、図６に示すように、中材６と背凭連結金具９のギヤ部分との接触がなくなり、背凭上部８を折曲した際、中材６が亀裂したり、または破損したりすることを防ぐことができる。
【００１３】
また、本考案の更に他の好適例として、背凭連結金具９は、背凭上部８を自由角度に折曲させることができるように形成してもよい。かかる背凭連結金具９は、既存のラチェット金具に装着されている、逆転防止爪と巻ばねを保持する枢軸aを取り除くことにより形成される。枢軸aを取り除くことにより、背凭上部８をフリーな状態で自由角度に屈曲させることができ、背凭上部８の折畳みがスムーズとなり利便性が高まる。
【図面の簡単な説明】
【００１４】
【図１】本考案の座椅子の内部構造を示す全体斜視図である。
【図２】背凭上部と座部先部を折曲した状態の内部構造を表す斜視図である。
【図３】本考案の座椅子の全体斜視図である。
【図４】前記座椅子の背凭上部と座部先部を折曲した状態を示す斜視図である。
【図５】背凭連結具とカバー体を表す部分斜視図である。
【図６】前記背凭連結具を折曲した状態を示す説明図である。
【図７】（a）（b）（c）は本考案の座椅子の使用状態を示す内部構造の側面図である。
【符号の説明】
【００１５】
１    座椅子
２    座部
２a  座部基部
３    背凭れ
３a  背凭基部
４    連結金具
５    肘掛
６    緩衝材
７    カバー
８    背凭上部
９    背凭連結金具
１０  座部先部
１１  座部連結金具
１２  カバー体
１３  平板本体
１４  保持部
a      枢軸
【図１】
0003115347.tif 000003
【図２】
0003115347.tif 000004
【図３】
0003115347.tif 000005
【図４】
0003115347.tif 000006
【図５】
0003115347.tif 000007
【図６】
0003115347.tif 000008
【図７】
0003115347.tif 000009